(57)【特許請求の範囲】
【請求項１】
弁開閉用の回転作動軸に同軸に固定された歯車状の係止板と、この係止板の近傍に固設され、前面にキーカードが挿入されるスリット状の鍵孔を少なくとも１個開口させた錠箱と、この錠箱内において中央部を水平な枢軸により揺動可能に枢支された少なくとも１枚のタンブラーとを有し、このタンブラーは、前端側に山形の作用突起を備えると共に、扇形状の後端側に解錠切欠を形成し、また、キーカードが鍵孔に差込まれていない常態において解錠切欠が施錠位置を占めるように、付勢手段によりタンブラーを付勢し、一方、上記錠箱の後端部に、錠箱外に露出するつまみを有する操作部片を前後方向に移動可能に装着し、その後端には上記回転作動軸と平行な棒状の係合部を、前端には解錠位置にある上記タンブラーの解錠切欠と係合可能で水平な板状の嵌挿部を夫々形成し、施錠時には操作部片を後退させてその係合部を係止板の外周の凹部に係合させると共に、タンブラーの後端縁によって嵌挿部を前方から衝止し、以て回転作動軸の回動を不能にして弁を閉止し、上記タンブラーの作用突起と係合するスリット状の作用孔を開口させたキーカードを、錠箱の鍵孔から挿入してタンブラーを駆動し、その解錠切欠を解錠位置にまで移動させることにより解錠切欠を嵌挿部に整合させ、以てタンブラーによる操作部片の衝止を解き、以後つまみを手指で操作して操作部片を前進させることにより係合部による係止板の係止を解き、このようにして施錠時にはキーカードを鍵孔に差込まなくても単に操作部片を後退させるだけで施錠でき、キーカードを鍵孔に差込んでから操作部片を前進させるだけで解錠できるようにしたことを特徴とする弁の錠装置。
【発明の詳細な説明】
【０００１】
【発明の属する技術分野】
この発明は弁の錠装置に関する。タンクローリーにおける複数の液槽に対しそれぞれ異なる種類の液体が入れられている場合、液槽毎に設けられた弁を誤操作すると、異種液体の混入事故を起すことになり、危険である。
【０００２】
この発明に係る弁の錠装置は、タンクローリーのように複数並設された液槽の弁に対し各別に採用するに適したものである。
【０００３】
【従来の技術】
従来のこの種の弁の錠装置としては、例えば実公平５―１６１４４号公報に示されたものを挙げることができる。その錠装置、すなわちバルブ誤操作防止装置は、弁開閉用のハンドル部分に対し、櫓状のカバー部材をそれに設けたシリンダ錠をもって係脱し、合鍵がなければ弁を開放できないようにしたものである。
【０００４】
しかしながら、同装置によれば、全体の構造が複雑であること、また、弁開閉時における櫓状のカバー部材の着脱操作、すなわち施解錠操作が極めて面倒であることなどの問題点がある。
【０００５】
【発明が解決しようとする課題】
この発明の弁の状装置は、上述の問題点を解消することを目的として提案されたものである。すなわち、装置全体としての構造を簡単にすること、並びに、施解錠操作を極めて楽に行えるようにすることを目的として提案されたものである。
【０００６】
【課題を解決するための手段】
上記の目的を達成するため、この発明の弁の錠装置は、弁開閉用の回転作動軸に同軸に固定された歯車状の係止板と、この係止板の近傍に固設され、前面にキーカードが挿入されるスリット状の鍵孔を少なくとも１個開口させた錠箱と、この錠箱内において中央部を水平な枢軸により揺動可能に枢支された少なくとも１枚のタンブラーとを有し、このタンブラーは、前端側に山形の作用突起を備えると共に、扇形状の後端側に解錠切欠を形成し、また、キーカードが鍵孔に差込まれていない常態において解錠切欠が施錠位置を占めるように、付勢手段によりタンブラーを付勢し、一方、上記錠箱の後端部に、錠箱外に露出するつまみを有する操作部片を前後方向に移動可能に装着し、その後端には上記回転作動軸と平行な棒状の係合部を、前端には解錠位置にある上記タンブラーの解錠切欠と係合可能で水平な板状の嵌挿部を夫々形成し、施錠時には操作部片を後退させてその係合部を係止板の外周の凹部に係合させると共に、タンブラーの後端縁によって嵌挿部を前方から衝止し、以て回転作動軸の回動を不能にして弁を閉止し、上記タンブラーの作用突起と係合するスリット状の作用孔を開口させたキーカードを、錠箱の鍵孔から挿入してタンブラーを駆動し、その解錠切欠を解錠位置にまで移動させることにより解錠切欠を嵌挿部に整合させ、以てタンブラーによる操作部片の衝止を解き、以後つまみを手指で操作して操作部片を前進させることにより係合部による係止板の係止を解き、このようにして施錠時にはキーカードを鍵孔に差込まなくても単に操作部片を後退させるだけで施錠でき、キーカードを鍵孔に差込んでから操作部片を前進させるだけで解錠できるようにしたことを特徴とする。
【０００７】
【発明の実施の形態】
以下、図面に示す実施例に基いて、この発明について説明する。
図１及び図２において、符号１０はタンクローリーの１つの液槽、２０はその液槽１０における円筒状をなす弁の取付部分、１は弁の全体、１１は弁本体の一部である軸受部分、１２は図示しない弁体を開閉させる回転作動軸、１３は回転作動軸１２に固定されたハンドル、９１は弁の取付部分２０に対し弁本体の軸受け部分１１におけるフランジを固定するためのボルトである。
【０００８】
図示例の弁１は、その回転作動軸１２をハンドル１３で操作する手動型のものであるが、回転作動軸１２はモータその他の駆動装置で回動させるようにしたものであってもよい。
【０００９】
この発明においては、前記回転作動軸１２に適当な取付部材１４を介して歯車状の係止板２を固定する。係止板２はその歯部２１が後記の錠止部材６と選択的に係合するもので、この発明の主要部材の一つである。
【００１０】
他方、弁１の近傍の任意の固定部材には、板状をなす鍵である矩形のキーカード３（図３及び図４参照）のための少くも１つの鍵孔４３を開口させた錠箱４を固設する。
【００１１】
図示例の錠箱４は、基枠部分４１と２つの鍵孔４３を有する蓋部分４２とで中空に形成され、取付台４４を介して液槽１０の取付部分２０及び弁本体の一部１１に固設してある。
【００１２】
図中、符号４７は錠箱４の各鍵孔４３の後方に連続し、錠箱４の両側壁の内面に形成されたキーカード用の案内溝、９２は錠箱４と取付台４４とを固定する取付ねじ、９３は液槽１０の取付部分２０並びに弁本体の一部１１に対し取付台４４を固定する締付けバンドをそれぞれ示している。
【００１３】
錠箱４内における各鍵孔４３に臨む位置には例えば板状をなす少くも１つのタンブラー５を水平な枢軸５７により揺動可能に枢支する。
【００１４】
図示例では、タンブラー群として上方の群５ａと下方の群５ｂが設けて有り、各群のタンブラー５ａ又は５ｂは上方の鍵孔４３又は下方の鍵孔４３から矢印Ｐのように差込まれる対応する合鍵であるキーカード３によって作動される。
【００１５】
タンブラー群５の数を１つの群のみとする時は勿論鍵孔４３は１つ設ければよいし、対応するキーカード３も１枚だけ準備すればよい。
【００１６】
各タンブラー群におけるタンブラー５の枚数は任意とすることができるが、図示例の錠装置においては、図２に明示するように、上下両群のタンブラー数の合計は錠箱４の幅との関係で９枚以内の範囲で任意に選択できるようにしてあり、実施例では上下の群におけるタンブラー５の枚数をそれぞれ３枚とし、中央部分に位置する鎖線で示す３枚のタンブラーは使用（装着）していないものとして示してある。
【００１７】
図示例のタンブラー５は、その側面形が扇形状に形成され、前端側に側面山形の作用突起５１を備え、後端側には解錠切欠５２を備えている。
【００１８】
そして、各タンブラー５は、キーカード３が差込まれていない常態において該解錠切欠５２が施錠位置を占めるように、タンブラーばね５３、該タンブラー５の自重又は磁石等の付勢手段で付勢させてある。
【００１９】
図示例のタンブラー５の付勢手段としては、ねじりばね５３が用いられている。ねじりばね５３は、中央部のループを枢軸５７に嵌め込んだ円筒状のスペーサ５６の回りに挿通させると共に、一端を各タンブラー５に突設したばね掛け片５４に、他端を錠箱４に固定した共通のばね掛け棒５５に係止することによりタンブラー５毎に設けてある。但し図２においては、このねじりばね５３は図示を省略してある。
【００２０】
なおまた、前記のスペーサ５６はタンブラー５を枢軸５７の長さ方向について所定位置に保持させるためのものである。前記のばね掛け棒５５は、各タンブラー５の常態におけるストッパを兼ねている。
【００２１】
更に、錠箱４における上述した係止板２とタンブラー５との間にはその間を直線的に変位できるように案内される錠止部材６が設けてある。
【００２２】
図示例の錠止部材６は、平面が共に凸字状をなす上下板６１、６２と両側板６３、６４とで枠体に形成されており、一方の側板６３は前方に延長されて錠箱４の側部開口４５から外部に露出し、もって操作部片６５を形成する。符号６６は操作部片６５の先端に固設されたつまみである。
【００２３】
そして、枠体をなす錠止部材６において、下板６２の変位方向の前端部は嵌挿部６７をなす。この嵌挿部７６は、合鍵であるキーカード３の挿入によりタンブラー群５が揺動して各解錠切欠５２が整合した時、そこへ嵌め込まれ得るようにしたものである。
【００２４】
また、錠止部材６における後端側の上下板６１、６２間には例えば管体等が固定してあって、係合部６８が構成してある。この係合部６８は、錠箱４の後部開口４６より外部に突出させてあり、この発明に係る弁の錠装置の常態である施錠時に上記係止板２の歯部２１に選択的に係合する。
【００２５】
要するに、錠止部材６は常態では各タンブラー５をもって係止板２と係合する位置に拘束してあり、所定のキーカード３を鍵孔４３に差込んだ解錠時には各タンブラー５の解錠切欠５２が錠止部材６の嵌挿部６７に対向して整合する位置を占め錠止部材６の拘束が解けるようにしてある。なお、錠止部材６の係合部６８はローラとすることもできる。
【００２６】
図３及び図４は、この発明の弁の錠装置において用いられるキーカード３を例示している。キーカード３の作用孔３１は該キーカード３を錠箱４の鍵孔４３に差込んだ時、前端の作用突起５１を嵌入させたタンブラー５を施錠位置から解錠位置へ揺動変位させるもので、作用孔３１は、図示例のようにキーカード３の長さ方向（差込み方向）の中間部に形成してもよいし、キーカード３の長さ方向の前端部に形成した切欠（図示しない）としてもよい。
【００２７】
図３の（Ａ）〜（Ｄ）に示す４例のキーカード３は、幅方向における中心線に関し対称的に作用孔３１が設けてあるので、表裏についてリバーシブルのものとして用いることができるが、作用孔（３１）はキーカード（３）の幅方向における中心線に関し非対称に設けてもよいことは言うまでもない。
【００２８】
図示のように、２組のタンブラー群５ａ、５ｂ及び２つの鍵孔４３、４３を設けた錠装置は、２つの合鍵としてのキーカード３、３を用いた時のみ施解錠される。このような場合、キーカード３、３はそれぞれ別の人が管理するようにするとよい。
【００２９】
例えば、タンクローリーの液槽における弁の錠装置として図示例のものを用いる場合、一方のキーカード３をタンクローリーの運転者が車両内に保管し、他方のキーカード３をガソリンステーションの係員が該ステーション内で保管するようにすると、弁の開閉操作が２人の人によってチェックされることになるので、弁の誤操作を防止する上で極めて有効である。
【００３０】
図１、図２及び図５において、この発明の弁の錠装置の作用の一例について、説明する。
【００３１】
図１、図２及び図５（Ａ）は施錠状態である常態を示しており、この状態では、回転作動軸１２に固定された係止板２の歯部２１には、錠止部材６の係合部６８が係合しており、かつ、錠止部材６の前方（図１及び図２で左方）への変位はタンブラー５の後端部で拘束されているので、回転作動軸１２のハンドル１３等による回動操作は不能である。この時、弁は閉鎖されている。
【００３２】
ここで、弁を開放するためには、２つの合鍵であるキーカード３、３を矢印Ｐのように向けてそれぞれの鍵孔４３、４３に差込み、２つのタンブラー群５ａ、５ｂをいずれもタンブラーばね５３等の付勢力に抗して、施錠位置から解錠位置に揺動させ、全てのタンブラー５の解錠切欠５２を錠止部材６の嵌挿部６７に対向整合させた上で、操作部片６５を手指で掴んで拘束が解除された錠止部材６を矢印Ｑで示す前方に向け変位させる［図５（Ｃ）参照］。
【００３３】
ここに、錠止部材６と係止板２との係合が解除されるので、回転作動軸１２の回動が自由となり、該作動軸１２をハンドル１３又は駆動装置で右又は左に回すことにより弁は開放される。
【００３４】
図５（Ｂ）は、一方のキーカード４３のみを挿入した状態を示しており、この状態では、上方のタンブラー群５ａは解錠位置にあるが、下方のタンブラー群５ｂは引き続き施錠位置を占めている。
【００３５】
従って、錠止部材６は下方のタンブラー群５ｂによって歯車状の係止板２との係合位置に引き続き拘束されていることになり、弁の作動軸１２の回動は不能である。つまり、図示例の錠装置では、２つのキーカード３、３を用いない限り弁の開閉は不能である。
【００３６】
なお、キーカード３による各タンブラー５の施錠位置への揺動は、タンブラー５の前端側の作用突起５１をキーカード３の作用孔３１に嵌め込むようにして行う場合もあるし、作用突起５１をキーカード３の一面に乗り上げるようにして行う場合もある。
【００３７】
要するに、図示例の錠装置及びキーカードにおいては、１枚のタンブラー５についてキーカード３の対応位置における作用孔３１の有無により２つの鍵違いを生ずるようになる。
【００３８】
次に、図５（Ｃ）における上述した弁の開放状態から弁を閉鎖させかつ施錠させた常態に戻す作用について説明する。
【００３９】
この状態においては、回転作動軸１２は回動可能であるから、同軸１２を上述とは逆に回動させ弁を閉じる。
【００４０】
ここで、錠止部材６の操作部片６５を手指により矢印Ｑとは逆方向の後方に向け変位させ、錠止部材６と係止板２とを係合させた後、２つのキーカード３、３を鍵孔４３、４３から抜き取る。
【００４１】
すると、図１、図２及び図５（Ａ）に示すように、各タンブラー５はタンブラーばね５３等の付勢力により自動的に施錠位置に戻り、各タンブラー５がその後端部で錠止部材６を係止板２との係合状態に拘束させるので、弁は施錠状態である常態に戻ることになる。
【００４２】
タンブラー群（５）を１種のキーカード（３）のみで作動させることができるように１つの群とした場合の弁の錠装置における施解錠作用は、上述した、２つの群のタンブラー群５ａ、５ｂを有する錠装置のそれに準ずるので、ここではその説明を省略する。
【００４３】
なお、錠止部材６と錠箱４との間に、該錠止部材６を例えば前方に向け付勢させるばね（図示しない）を付設すると、操作部片６５を用いなくても、自動解錠が可能となるので、操作性向上について一層有利となる。
【００４４】
【発明の効果】
以上に説明したこの発明の弁の錠装置によれば、常態において弁を開閉させる回転作動軸が施錠されて不動にされているに関わらず、装置全体としての構造が極めて簡単である上、施解錠操作が極めて楽に行えるなどの効果を奏する。
【図面の簡単な説明】
【図１】この発明の弁の錠装置の実施例を示す部分縦断側面図。
【図２】その横断平面図。但し、この図においてタンブラーばねは省略してある。
【図３】図１の錠装置に対して用いられる異なるキーカードの平面図で、（Ａ）〜（Ｄ）は作用孔の４つの配置例を示す。
【図４】図３のキーカードの共通の側面図。
【図５】図１及び図２に示す錠装置の作用態様を示す要部の縦断縮小説明図で、（Ａ）は２枚のキーカードの挿入前の状態を、（Ｂ）は一方のキーカードを挿入した状態を、（Ｃ）は２枚のキーカードを共に挿入した状態をそれぞれ示している。
【符号の説明】
１  弁
２  係止板
２１  歯部
３  キーカード
３１  作用孔
４  錠箱
４３  鍵孔
５  タンブラー
５２  解錠切欠
６  錠止部材
６５  操作部片
６７  嵌挿部
６８  係合部
【図１】
0004028907.tif 000002
【図２】
0004028907.tif 000003
【図３】
0004028907.tif 000004
【図４】
0004028907.tif 000005
【図５】
0004028907.tif 000006